(57)【要約】【課題】  交換機の有する符号化変換機能、端末で用いることができる符号化方式等を考慮して交換機で行う符号化変換を適切に決定すること等である。【解決手段】  移動機４０で用いることができる符号化方式の情報、移動機５０で用いることができる符号化方式の情報、交換機１０の符号化変換機能の情報、および交換機２０の符号化変換機能の情報を取得する。そして、移動機４０で用いることができる符号化方式、移動機５０で用いることができる符号化方式、交換機１０の符号化変換機能、および交換機２０の符号化変換機能を考慮して、移動機４０で用いる符号化方式が移動機５０で用いる符号化方式に変換されるように、移動機４０で用いる符号化方式、移動機５０で用いる符号化方式、交換機１０で行う符号化変換および交換機２０で行う符号化変換を決定する。【選択図】        図１
2005333673.tif 000002
【特許請求の範囲】
【請求項１】
交換機間の回線の帯域を制御する制御装置であって、発側交換機と着側交換機との間で送受信される信号の符号化方式が必要とする帯域に基づき、前記発側交換機と前記着側交換機との間の回線の帯域を決定するようにしたことを特徴とする制御装置。
【請求項２】
交換機であって、複数の符号化変換機能を有し、該複数の符号化変換機能を組み合わせて符号化変換を行うことが可能であることを特徴とする交換機。
【請求項３】
交換機間の回線の帯域を制御する制御方法であって、発側交換機と着側交換機との間で送受信される信号の符号化方式に基づき、前記発側交換機と前記着側交換機との間の回線の帯域を決定することを特徴とする制御方法。
【請求項４】
複数の符号化変換機能を有する交換機における符号化変換方法であって、前記複数の符号化変換機能を組み合わせて符号化変換を行うことを特徴とする符号化変換方法。
【発明の詳細な説明】
【技術分野】
【０００１】
本発明は、交換機で行う符号化変換および／または交換機間の回線の帯域を制御する
制御装置および該装置を備えた交換機等に関する。
【背景技術】
【０００２】
従来、交換機で行う符号化変換は、発側端末で用いる符号化方式および着側端末で用いる符号化方式を比較し、同じであれば符号化変換を行わず、同じでなければあらかじめ定められた符号化変換を行うことに決定していた。例えば、発側端末が移動端末（移動機）であり、符号化方式としてＶＳＥＬＰを用いている場合に、着側端末が固定端末であり、符号化方式として６４ｋｂ／ｓのμ−ｌａｗＰＣＭを用いているときには、発側交換機でＶＳＥＬＰから６４ｋｂ／ｓのμ−ｌａｗＰＣＭへの変換を行う。着側端末も移動端末（移動機）であり、符号化方式として発側端末と同様にＶＳＥＬＰを用いているときには、発側交換機および着側交換機の双方とも符号化変換を行わなかった（コーデックスルー）。
【発明の開示】
【発明が解決しようとする課題】
【０００３】
しかし、従来の交換機で行う符号化変換は、交換機の有する符号化変換機能、端末（移動機等）で用いることができる符号化方式等を考慮して決定してはいなかった。そのため、適切な符号化変換に決定することができなかった。
【０００４】
また、発側交換機および着側交換機間で送受信する信号の符号化方式が必要とする帯域に基づき両交換機間の回線の帯域を制御しておらず、回線の使用効率が悪かった。
【０００５】
そこで、本発明の目的は、交換機の有する符号化変換機能、端末で用いることができる符号化方式等を考慮して交換機で行う符号化変換を適切に決定することである。
【０００６】
また、発側交換機および着側交換機間で送受信する信号の符号化方式が必要とする帯域に基づき両交換機間の回線の帯域を制御し、回線の使用効率を向上させることである。
【課題を解決するための手段】
【０００７】
このような目的を達成するために、請求項１に記載の発明は、交換機間の回線の帯域を制御する制御装置であって、発側交換機と着側交換機との間で送受信される信号の符号化方式が必要とする帯域に基づき、前記発側交換機と前記着側交換機との間の回線の帯域を決定するようにしたことを特徴とする。
【０００８】
請求項２に記載の発明は、交換機であって、複数の符号化変換機能を有し、該複数の符号化変換機能を組み合わせて符号化変換を行うことが可能であることを特徴とする。
【０００９】
請求項３に記載の発明は、交換機間の回線の帯域を制御する制御方法であって、発側交換機と着側交換機との間で送受信される信号の符号化方式に基づき、前記発側交換機と前記着側交換機との間の回線の帯域を決定することを特徴とする。
【００１０】
請求項４に記載の発明は、数の符号化変換機能を有する交換機における符号化変換方法であって、前記複数の符号化変換機能を組み合わせて符号化変換を行うことを特徴とする。
【発明の効果】
【００１１】
以上説明したように本発明によれば、交換機の有する符号化変換機能、端末で用いることができる符号化方式等を考慮して交換機で行う符号化変換を適切に決定することができる。
【００１２】
また、発側交換機および着側交換機間で送受信する信号の符号化方式が必要とする帯域に基づき両交換機間の回線の帯域を制御し、回線の使用効率を向上させることができる。
【発明を実施するための最良の形態】
【００１３】
以下、図面を参照して本発明の実施の形態について詳しく説明する。
【００１４】
図１は、本実施形態に係る制御装置を備えた交換機の構成例を示す図である。
【００１５】
交換機１０は、制御部１１、回線管理部１２、トランスコーダ１３、符号化方式・符号化変換機能情報管理部１４、およびアンテナ１５を備える。交換機２０も同様に、制御部２１、回線管理部２２、トランスコーダ２３、符号化方式・符号化変換機能情報管理部２４、およびアンテナ２５を備える。
【００１６】
本実施形態において、制御部１１、２１、およびトランスコーダ１３、２３はソフトウェアにより実現されているが、ハードウェアにより実現することもできる。
【００１７】
トランスコーダ１３、２３は、信号の符号化方式をある符号化方式から別の符号化方式に変換する。トランスコーダ１３、２３は、複数の符号化変換機能を有し、それらの符号化変換を組み合わせて符号化変換を行うことができるものとすることができる。例えば、符号化変換機能Ｘ→Ｙと符号化変換機能Ｙ→Ｚとを組み合わせて符号化変換Ｘ→Ｚを行うことができるものとすることができる。
【００１８】
符号化方式・符号化変換機能情報管理部１４は、交換機１０の符号化変換機能の情報、および全移動機について各移動機で使用することができる符号化方式の情報を管理している。符号化方式・符号化変換機能情報管理部２４も同様に、交換機２０の符号化変換機能の情報、および全移動機について各移動機で使用することができる符号化方式の情報を管理している。
【００１９】
図２は、本実施形態に係る制御方法の処理例を示すフローチャートである。
【００２０】
以下、移動機４０（発側端末）が発信し、移動機５０（着側端末）が着信する場合を例に説明する。本実施形態においては、発側交換機（交換機１０）の制御部１１が交換機で行う符号化変換および交換機間の回線の帯域を制御する。
【００２１】
移動機４０が交換機１０に対して移動機５０の着信要求を発信すると、発側交換機である交換機１０の制御部１１は、ＨＬＲ(Home Location Register)等（図示せず）に問い合わせて、移動機５０が在圏するゾーンをカバーする交換機２０（着側交換機）を探し出し、交換機２０との間でインバンド（通話路）のパスを設定する（ステップＳ１０１）。そして、交換機２０に対して交換機２０の符号化変換機能の情報を送信するように要求する。交換機２０の制御部２１は、交換機２０の符号化変換機能の情報を符号化方式・符号化変換機能情報管理部２４から取得し、交換機１０に送信する。こうして交換機１０の制御部１１は、交換機２０の符号化変換機能の情報を取得する（Ｓ１０２）。
【００２２】
交換機１０の制御部１１は、交換機１０の符号化変換機能の情報を符号化方式・符号化変換機能情報管理部１４から取得する（Ｓ１０３）。また、移動機４０で用いることができる符号化方式Ａ1，．．．，ＡM（Ｍは自然数）の情報、および移動機５０で用いることができる符号化方式Ｂ1，．．．，ＢN（Ｎは自然数）の情報も符号化方式・符号化変換機能情報管理部１４から取得する（Ｓ１０４およびＳ１０５）。
【００２３】
ただし、例えば、移動機で用いることができる符号化方式の情報を一括して管理する局を設け、該局に問い合わせることにより、移動機４０で用いることができる符号化方式の情報、および移動機５０で用いることができる符号化方式の情報を取得するようにすることもできる。また、交換機の符号化変換機能の情報についても一括して管理するようにすることができる。
【００２４】
交換機１０の制御部１１は、取得した情報、すなわち移動機４０で用いることができる符号化方式の情報、移動機５０で用いることができる符号化方式の情報、交換機１０の符号化変換機能の情報、および交換機２０の符号化変換機能の情報を考慮して、移動機４０で用いる符号化方式、移動機５０で用いる符号化方式、交換機１０で行う符号化変換、および交換機２０で行う符号化変換を決定する（Ｓ１０６）。その際、移動機４０で用いる符号化方式が移動機５０で用いる符号化方式に変換されるように、交換機１０で行う符号化変換および交換機２０で行う符号化変換を決定する。具体的な決定方法については図３および図４を参照して以下で説明する。交換機１０の制御部１１は、決定した交換機２０で行う符号化変換を交換機２０に通知する。交換機１０および交換機２０は以上の決定に従い、符号化変換を行う。
【００２５】
交換機１０の制御部１１は、交換機１０で行う符号化変換、および交換機２０で行う符号化変換を決定したら、すなわち交換機１０と交換機２０との間で送受信される信号の符号化方式を決定したら、該符号化方式が必要とする帯域に基づき交換機１０と交換機２０との間の回線の帯域を決定する（Ｓ１０７）。例えば、交換機１０と交換機２０との間で送受信される信号の符号化方式が、ＶＳＥＬＰである場合には回線の帯域を８ｋｂｐｓとし、μ−ｌａｗＰＣＭである場合には回線の帯域を６４ｋｂｐｓとすることができる。このようにして回線の使用効率を向上させることができる。
【００２６】
本実施形態においては、以上のようなステップＳ１０２〜Ｓ１０７の交換機間のやりとりをインバンドを用いた通信により行う。ただし、ステップＳ１０２〜Ｓ１０７の交換機間のやりとりをアウトバンドを用いた通信により行うようにすることもできる。
【００２７】
図３は、本実施形態に係る符号化方式候補の決定方法の処理例を示すフローチャートである。この処理により、交換機１０の符号化変換機能および交換機２０の符号化変換機能を考慮して、移動機４０で用いる符号化方式が移動機５０で用いる符号化方式に変換されるように、移動機４０で用いる符号化方式および移動機５０で用いる符号化方式の候補の組を決定する。
【００２８】
まず、ｉおよびｊを１に設定する（Ｓ２０１およびＳ２０２）。次に、Ａi＝Ｂjであるか否か、すなわち発側移動機で用いることができる符号化方式の１つであるＡiと、着側移動機で用いることができる符号化方式の１つであるＢjとが同じであるか否かを判断する（Ｓ２０３）。
【００２９】
Ａi＝Ｂjである場合には、交換機１０および交換機２０で行う符号化変換を変換なし、すなわち両交換機で変換を行わないことにすればよいので、組（Ａi，Ｂj）を符号化方式の候補にする。
【００３０】
Ａi≠Ｂjである場合には、交換機１０もしくは交換機２０に符号化変換機能Ａi→Ｂjがあるか、または交換機１０に符号化変換機能Ａi→Ｘ（Ｘは任意の符号化方式）があり、かつ交換機２０に符号化変換機能Ｘ→Ｂjがあるか否かを判断する（Ｓ２０４）。条件を満たす場合には組（Ａi，Ｂj）を符号化方式の候補にし（Ｓ２０５）、条件を満たさない場合には組（Ａi，Ｂj）を符号化方式の候補にしない（Ｓ２０６）。交換機１０もしくは交換機２０に符号化変換機能Ａi→Ｂjがあれば、交換機１０もしくは交換機２０で符号化変換Ａi→Ｂjを行えばよいし、交換機１０に符号化変換機能Ａi→Ｘがあり、かつ交換機２０に符号化変換機能Ｘ→Ｂjがあれば、交換機１０で符号化変換Ａi→Ｘを行い、かつ交換機２０で符号化変換Ｘ→Ｂjを行えばよいからである。
【００３１】
ステップＳ２０７でｊに１を加算し、ｊが移動機５０で用いることができる符号化方式の数Ｎ以下であればステップＳ２０３に戻る（Ｓ２０８）。Ｎより大きければｉに１を加算し（Ｓ２０９）、ｉが移動機４０で用いることができる符号化方式の数Ｍ以下であればステップＳ２０２に戻る（Ｓ２１０）。Ｍより大きければ終了となる。
【００３２】
図４は、本実施形態に係る符号化方式および符号化変換の決定方法の処理例を示すフローチャートである。この処理により、図３で決定した符号化方式の候補から符号化方式（移動機４０で用いる符号化方式および移動機５０で用いる符号化方式）、および符号化変換（交換機１０で行う符号化変換および交換機２０で行う符号化変換）を決定する。
【００３３】
まず、Ａi＝Ｂjである符号化方式候補の組（Ａi，Ｂj）があるか否かを判断する（Ｓ３０１）。ある場合には、それらの組の中から１つ（Ａp，Ｂq）を選択し、移動機４０で用いる符号化方式および移動機５０で用いる符号化方式に決定する。また、交換機１０で行う符号化変換および交換機２０で行う符号化変換をともに変換なし、すなわちコーデックスルーに決定する（Ｓ３０２）。
【００３４】
Ａi＝Ｂjである符号化方式候補の組（Ａi，Ｂj）が複数ある場合には、例えば、あらかじめ定められた優先順位に基づき、（Ａp，Ｂq）を選択することができる。その優先順位は、例えば符号化方式の品質を考慮して定めることができる。例えば、ＧＳＭ ＡＭＲ７．４０ｋｂｐｓに比べてより高品質（広帯域）なＧＳＭ ＡＭＲ１２．２ｋｂｐｓの優先順位を、ＧＳＭ ＡＭＲ７．４０ｋｂｐｓより高く定めることができる。
【００３５】
なお、Ａi＝Ｂjである符号化方式候補の組（Ａi，Ｂj）が１つしかない場合には、その１つが自動的に（Ａp，Ｂq）に選択されることになる。
【００３６】
Ａi＝Ｂjである符号化方式候補の組（Ａi，Ｂj）がない場合には、交換機１０または交換機２０が符号化変換機能Ａi→Ｂjを有する符号化方式候補の組（Ａi，Ｂj）があるか否かを判断する（Ｓ３０３）。ある場合には、それらの組の中から１つ（Ａp，Ｂq）を選択し、移動機４０で用いる符号化方式および移動機５０で用いる符号化方式に決定する。また、交換機１０で行う符号化変換または交換機２０で行う符号化変換の一方をＡp→Ｂqに決定し、他方を変換なしに決定する（Ｓ３０４）。
【００３７】
交換機１０または交換機２０の一方にのみ符号化変換機能Ａp→Ｂqがある場合には、その機能を有する交換機で符号化変換Ａp→Ｂqを行う。交換機１０および交換機２０の双方に符号化変換機能Ａp→Ｂqがある場合には、例えば、あらかじめ定められた優先順位に基づき、いずれの交換機で符号化変換Ａp→Ｂqを行うかを決定することができる。その優先順位は、例えば交換機１０と交換機２０との間の回線３０上で送信するのに都合がよい符号化方式になるように定めることができる。例えば、Ｂqで送信するのが都合がよい場合には、符号化変換Ａp→Ｂqを交換機１０で行う優先順位を交換機２０で行う優先順位よりも高くすればよい。また、符号化変換を行う優先順位としては、例えば交換機１０の優先順位を交換機２０の優先順位よりも一律に高くすることも考えられる。
【００３８】
また、交換機１０または交換機２０が符号化変換機能Ａi→Ｂjを有する符号化方式候補の組（Ａi，Ｂj）が複数ある場合には、例えば、あらかじめ定められた優先順位に基づき、（Ａp，Ｂq）を選択することができる。その優先順位は、例えば符号化方式Ａi，Ｂjの品質が最高となる組合せが選択されるように定めてもよいし、符号化変換Ａi→Ｂjの相性を考慮して定めてもよい。
【００３９】
交換機１０または交換機２０が符号化変換機能Ａi→Ｂjを有する符号化方式候補の組（Ａi，Ｂj）がない場合には、全符号化方式候補の組の中から１つ（Ａp，Ｂq）を選択し、移動機４０で用いる符号化方式および移動機５０で用いる符号化方式に決定する。また、交換機１０で行う符号化変換をＡp→Ｘに、交換機２０で行う符号化変換をＸ→Ｂqに決定する（Ｓ３０５）。
【００４０】
全符号化方式候補の組が複数ある場合には、例えば、あらかじめ定められた優先順位に基づき、（Ａp，Ｂq）を選択することができる。その優先順位は、例えば符号化方式Ａi，Ｂjの品質が最高となる組合せが選択されるように定めてもよいし、符号化変換Ａi→ＸおよびＸ→Ｂjの相性を考慮して定めてもよい。
【００４１】
図５は、符号化方式候補の決定方法、ならびに符号化方式および符号化変換の決定方法を説明するための第１の例である。この例においては、交換機１０が有する符号化変換機能がＣ1→Ｃ3、Ｃ3→Ｃ4およびＣ1→Ｃ4であり、交換機２０が有する符号化変換機能がＣ1→Ｃ3およびＣ4→Ｃ1であり、移動機４０で用いることができる符号化方式がＣ1（＝Ａ1）およびＣ2（＝Ａ2）であり、移動機５０で用いることができる符号化方式がＣ1（＝Ｂ1）、Ｃ2（＝Ｂ2）およびＣ3（＝Ｂ3）であるものとする。ここで、交換機１０のトランスコーダ１３には符号化変換機能Ｃ1→Ｃ3およびＣ3→Ｃ4のみが用意されており、Ｃ1→Ｃ4はＣ1→Ｃ3およびＣ3→Ｃ4を組み合わせることにより実現している。
【００４２】
まず、図３に示す処理を行い、符号化方式候補を決定する。Ａ1＝Ｂ1（＝Ｃ1）、Ａ2＝Ｂ2（＝Ｃ2）なので、ステップＳ２０３およびＳ２０５より、組（Ｃ1，Ｃ1）および組（Ｃ2，Ｃ2）が符号化方式の候補となる。また、交換機１０または交換機２０に符号化変換機能Ｃ1→Ｃ3があるので（この例では交換機１０がかかる符号化変換機能を有する）、ステップＳ２０４およびＳ２０５より、組（Ｃ1，Ｃ3）も符号化方式の候補となる。
【００４３】
次に、図４に示す処理を行い、符号化方式および符号化変換を決定する。符号化方式候補の中にＡi＝Ｂjである組（Ｃ1，Ｃ1）および組（Ｃ2，Ｃ2）があるので、ステップＳ３０１およびＳ３０２より、いずれかの組を移動機４０および移動機５０の符号化方式に決定し、交換機１０および交換機２０の符号化変換を変換なしに決定する。
【００４４】
図６は、符号化方式候補の決定方法、ならびに符号化方式および符号化変換の決定方法を説明するための第２の例である。この例においては、交換機１０が有する符号化変換機能がＣ1→Ｃ3およびＣ2→Ｃ4であり、交換機２０が有する符号化変換機能がＣ1→Ｃ3およびＣ4→Ｃ3であり、移動機４０で用いることができる符号化方式がＣ1（＝Ａ1）およびＣ2（＝Ａ2）であり、移動機５０で用いることができる符号化方式がＣ3（＝Ｂ1）であるものとする。
【００４５】
まず、図３に示す処理を行い、符号化方式候補を決定する。この例においてはＡi＝Ｂjとなる組合せはない。交換機１０または交換機２０に符号化変換機能Ｃ1→Ｃ3があるので（この例では交換機１０および交換機２０の双方がかかる符号化変換機能を有する）、ステップＳ２０４およびＳ２０５より、組（Ｃ1，Ｃ3）が符号化方式の候補となる。また、交換機１０に符号化変換機能Ｃ2→Ｃ4があり、交換機２０に符号化変換機能Ｃ4→Ｃ3があるので、ステップＳ２０４およびＳ２０５より、組（Ｃ2，Ｃ3）も符号化方式の候補となる。
【００４６】
次に、図４に示す処理を行い、符号化方式および符号化変換を決定する。この例においては符号化方式候補の中にＡi＝Ｂjである組はない。符号化方式候補の中に交換機１０または交換機２０が符号化変換機能Ａi→Ｂjを有する組（Ｃ1，Ｃ3）があるので、ステップＳ３０３およびＳ３０４より、組（Ｃ1，Ｃ3）を移動機４０および移動機５０の符号化方式に決定し、交換機１０または交換機２０の符号化変換の一方をＣ1→Ｃ3に決定し、他方を変換なしに決定する。
【００４７】
図７は、符号化方式候補の決定方法、ならびに符号化方式および符号化変換の決定方法を説明するための第３の例である。この例においては、交換機１０が有する符号化変換機能がＣ2→Ｃ4およびＣ2→Ｃ5であり、交換機２０が有する符号化変換機能がＣ4→Ｃ3およびＣ5→Ｃ3であり、移動機４０で用いることができる符号化方式がＣ1（＝Ａ1）およびＣ2（＝Ａ2）であり、移動機５０で用いることができる符号化方式がＣ3（＝Ｂ1）であるものとする。
【００４８】
まず、図３に示す処理を行い、符号化方式候補を決定する。この例においてはＡi＝Ｂjとなる組合せはない。交換機１０に符号化変換機能Ｃ2→Ｃ4があり、交換機２０に符号化変換機能Ｃ4→Ｃ3があるので（交換機１０に符号化変換機能Ｃ2→Ｃ5があり、交換機２０に符号化変換機能Ｃ5→Ｃ3があるので）、ステップＳ２０４およびＳ２０５より、組（Ｃ2，Ｃ3）が符号化方式の候補となる。
【００４９】
次に、図４に示す処理を行い、符号化方式および符号化変換を決定する。この例においては符号化方式候補の中にＡi＝Ｂjである組はない。また、符号化方式候補の中に交換機１０または交換機２０が符号化変換機能Ａi→Ｂjを有する組もない。したがって、ステップＳ３０３およびＳ３０５より、組（Ｃ2，Ｃ3）を移動機４０および移動機５０の符号化方式に決定する。また、交換機１０の符号化変換をＣ2→Ｃ4に、交換機２０の符号化変換をＣ4→Ｃ3に決定するか、または交換機１０の符号化変換をＣ2→Ｃ5に、交換機２０の符号化変換をＣ5→Ｃ3に決定する。
【００５０】
本実施形態においては、交換機１０および交換機２０がそれぞれ制御部１１および２１を備えているが、制御部を交換機とは独立の装置として、交換機から符号化変換等の情報を取得し、交換機の符号化変換等を制御するようにすることもできる。
【００５１】
また、本実施形態においては、発側端末で用いることができる１以上の符号化方式から発側端末で用いる符号化方式を決定し、着側端末で用いることができる１以上の符号化方式から着側端末で用いる符号化方式を決定しているが、初めから発側端末で用いる符号化方式および着側端末で用いる符号化方式が決まっているという前提で、交換機で行う符号化変換を制御するようにすることもできる。その場合には、図３および図４に示す処理でｉ＝１、ｊ＝１として考えればよい。例えば、移動機４０で用いる符号化方式と移動機５０で用いる符号化方式とが同じ場合には、交換機１０で行う符号化変換および交換機２０で行う符号化変換を変換なしに決定すればよい。また例えば、移動機４０で用いる符号化方式と移動機５０で用いる符号化方式とが異なる場合であって、交換機１０または交換機２０に、移動機４０で用いる符号化方式を移動機５０で用いる符号化方式に変換する符号化変換機能がある場合には、交換機１０で行う符号化変換または交換機２０で行う符号化変換の一方を、移動機４０で用いる符号化方式から移動機５０で用いる符号化方式への変換に決定し、他方を変換なしに決定すればよい。また例えば、移動機４０で用いる符号化方式と移動機５０で用いる符号化方式とが異なる場合であって、交換機１０および交換機２０に、移動機４０で用いる符号化方式を移動機５０で用いる符号化方式に変換する符号化変換機能がない場合であって、交換機１０に移動機４０で用いる符号化方式を符号化方式Ｘに変換する符号化変換機能があり、交換機２０にＸを移動機５０で用いる符号化方式に変換する符号化変換機能がある場合には、交換機１０で行う符号化変換を移動機４０で用いる符号化方式からＸへの変換に決定し、交換機２０で行う符号化変換をＸから移動機５０で用いる符号化方式への変換に決定すればよい。
【００５２】
さらに、本実施形態においては、発側交換機（交換機１０）および着側交換機（交換機２０）がともに移動通信用交換機である場合を例に説明したが、一方または双方が一般の固定端末を用いた通信用の交換機である場合にも同様に本発明を適用することができる。
【００５３】
本発明の実施態様の例を以下に列挙する。
【００５４】
［実施態様１］  交換機で行う符号化変換を制御する制御装置であって、発側端末で用いることができる符号化方式Ａi（ｉ＝１，．．．，Ｍ；Ｍは自然数）の情報を取得する手段と、着側端末で用いることができる符号化方式Ｂj（ｊ＝１，．．．，Ｎ；Ｎは自然数）の情報を取得する手段と、発側交換機の符号化変換機能の情報を取得する手段と、着側交換機の符号化変換機能の情報を取得する手段と、前記発側端末で用いることができる符号化方式Ａi、前記着側端末で用いることができる符号化方式Ｂj、前記発側交換機の符号化変換機能、および前記着側交換機の符号化変換機能を考慮して、発側端末で用いる符号化方式が着側端末で用いる符号化方式に変換されるように、前記発側端末で用いる符号化方式、前記着側端末で用いる符号化方式、前記発側交換機で行う符号化変換および前記着側交換機で行う符号化変換を決定する制御手段とを備えたことを特徴とする制御装置。
［実施態様２］  実施態様１に記載の制御装置であって、前記制御手段は、Ａi＝Ｂjである符号化方式の組（Ａi，Ｂj）がある場合には、それらの組の中から１つ（Ａp，Ｂq）を選択して前記発側端末で用いる符号化方式および前記着側端末で用いる符号化方式に決定し、前記発側交換機で行う符号化変換および前記着側交換機で行う符号化変換を変換なしに決定することを特徴とする制御装置。
［実施態様３］  実施態様１または２に記載の制御装置であって、前記制御手段は、Ａi＝Ｂjである符号化方式の組（Ａi，Ｂj）がない場合であって、前記発側交換機または前記着側交換機にＡiをＢjに変換する符号化変換機能がある符号化方式の組（Ａi，Ｂj）がある場合には、それらの組の中から１つ（Ａp，Ｂq）を選択して前記発側端末で用いる符号化方式および前記着側端末で用いる符号化方式に決定し、前記発側交換機で行う符号化変換または前記着側交換機で行う符号化変換の一方を、ＡpからＢqへの符号化変換に決定し、他方を変換なしに決定することを特徴とする制御装置。
［実施態様４］  実施態様１ないし３のいずれかに記載の制御装置であって、前記制御手段は、Ａi＝Ｂjである符号化方式の組（Ａi，Ｂj）がない場合であって、前記発側交換機または前記着側交換機にＡiをＢjに変換する符号化変換機能がある符号化方式の組（Ａi，Ｂj）がない場合であって、前記発側交換機にＡiを符号化方式Ｘに変換する符号化変換機能があり、前記着側交換機にＸをＢjに変換する符号化変換機能がある符号化方式の組（Ａi，Ｂj）がある場合には、それらの組の中から１つ（Ａp，Ｂq）を選択して前記発側端末で用いる符号化方式および前記着側端末で用いる符号化方式に決定し、前記発側交換機で行う符号化変換をＡpからＸへの符号化変換に決定し、前記着側交換機で行う符号化変換をＸからＢqへの符号化変換に決定することを特徴とする制御装置。
［実施態様５］  実施態様１ないし４のいずれかに記載の制御装置であって、前記制御手段は、前記発側端末で用いる符号化方式および前記着側端末で用いる符号化方式を決定する際に、あらかじめ定められた優先順位を考慮することを特徴とする制御装置。
［実施態様６］  実施態様５に記載の制御装置であって、前記優先順位は符号化方式の品質を考慮して定められていることを特徴とする制御装置。
［実施態様７］  交換機で行う符号化変換を制御する制御装置であって、発側端末で用いる符号化方式の情報を取得する手段と、着側端末で用いる符号化方式の情報を取得する手段と、発側交換機の符号化変換機能の情報を取得する手段と、着側交換機の符号化変換機能の情報を取得する手段と、前記発側交換機の符号化変換機能および前記着側交換機の符号化変換機能を考慮して、前記発側端末で用いる符号化方式が前記着側端末で用いる符号化方式に変換されるように、前記発側交換機で行う符号化変換および前記着側交換機で行う符号化変換を決定する制御手段とを備えたことを特徴とする制御装置。
［実施態様８］  実施態様７に記載の制御装置であって、前記制御手段は、前記発側端末で用いる符号化方式と前記着側端末で用いる符号化方式とが同じ場合には、前記発側交換機で行う符号化変換および前記着側交換機で行う符号化変換を変換なしに決定することを特徴とする制御装置。
［実施態様９］  実施態様７または８に記載の制御装置であって、前記制御手段は、前記発側端末で用いる符号化方式と前記着側端末で用いる符号化方式とが異なる場合であって、前記発側交換機または前記着側交換機に、前記発側端末で用いる符号化方式を前記着側端末で用いる符号化方式に変換する符号化変換機能がある場合には、前記発側交換機で行う符号化変換または前記着側交換機で行う符号化変換の一方を、前記発側端末で用いる符号化方式から前記着側端末で用いる符号化方式への変換に決定し、他方を変換なしに決定することを特徴とする制御装置。
［実施態様１０］  実施態様７ないし９のいずれかに記載の制御装置であって、前記制御手段は、前記発側端末で用いる符号化方式と前記着側端末で用いる符号化方式とが異なる場合であって、前記発側交換機および前記着側交換機に、前記発側端末で用いる符号化方式を前記着側端末で用いる符号化方式に変換する符号化変換機能がない場合であって、前記発側交換機に前記発側端末で用いる符号化方式を符号化方式Ｘに変換する符号化変換機能があり、前記着側交換機にＸを前記着側端末で用いる符号化方式に変換する符号化変換機能がある場合には、前記発側交換機で行う符号化変換を前記発側端末で用いる符号化方式からＸへの変換に決定し、前記着側交換機で行う符号化変換をＸから前記着側端末で用いる符号化方式への変換に決定することを特徴とする制御装置。
［実施態様１１］  実施態様１ないし１０のいずれかに記載の制御装置であって、前記制御手段により決定した前記発側交換機で行う符号化変換および前記着側交換機で行う符号化変換に基づき、前記発側交換機と前記着側交換機との間の回線の帯域を決定する回線帯域制御手段をさらに備えたことを特徴とする制御装置。
［実施態様１２］  実施態様１ないし１１のいずれかに記載の制御装置であって、前記発側交換機および／または前記着側交換機は移動通信用交換機であることを特徴とする制御装置。
［実施態様１３］  実施態様１ないし１２のいずれかに記載の制御装置を備えたことを特徴とする交換機。
［実施態様１４］  実施態様１３に記載の交換機であって、他の交換機との間のインバンドを用いた通信により、他の交換機の符号化変換機能の情報を取得し、前記制御手段で決定した他の交換機の符号化変換を他の交換機に通知することを特徴とする交換機。
［実施態様１５］  実施態様１３または１４に記載の交換機であって、複数の符号化変換機能を有し、該符号化変換機能を組み合わせて用いることが可能であることを特徴とする交換機。
［実施態様１６］  交換機間の回線の帯域を制御する制御装置であって、発側交換機と着側交換機との間で送受信される信号の符号化方式が必要とする帯域に基づき、前記発側交換機と前記着側交換機との間の回線の帯域を決定するようにしたことを特徴とする制御装置。
［実施態様１７］  交換機であって、複数の符号化変換機能を有し、該複数の符号化変換機能を組み合わせて符号化変換を行うことが可能であることを特徴とする交換機。
［実施態様１８］  交換機で行う符号化変換を制御する制御方法であって、発側端末で用いることができる符号化方式Ａi（ｉ＝１，．．．，Ｍ；Ｍは自然数）の情報を取得するステップと、着側端末で用いることができる符号化方式Ｂj（ｊ＝１，．．．，Ｎ；Ｎは自然数）の情報を取得するステップと、発側交換機の符号化変換機能の情報を取得するステップと、着側交換機の符号化変換機能の情報を取得するステップと、前記発側端末で用いることができる符号化方式Ａi、前記着側端末で用いることができる符号化方式Ｂj、前記発側交換機の符号化変換機能、および前記着側交換機の符号化変換機能を考慮して、発側端末で用いる符号化方式が着側端末で用いる符号化方式に変換されるように、前記発側端末で用いる符号化方式、前記着側端末で用いる符号化方式、前記発側交換機で行う符号化変換および前記着側交換機で行う符号化変換を決定するステップとを備えることを特徴とする制御方法。
［実施態様１９］  交換機で行う符号化変換を制御する制御方法であって、発側端末で用いる符号化方式の情報を取得するステップと、着側端末で用いる符号化方式の情報を取得するステップと、発側交換機の符号化変換機能の情報を取得するステップと、着側交換機の符号化変換機能の情報を取得するステップと、前記発側交換機の符号化変換機能および前記着側交換機の符号化変換機能を考慮して、前記発側端末で用いる符号化方式が前記着側端末で用いる符号化方式に変換されるように、前記発側交換機で行う符号化変換および前記着側交換機で行う符号化変換を決定するステップとを備えることを特徴とする制御方法。
［実施態様２０］  交換機間の回線の帯域を制御する制御方法であって、発側交換機と着側交換機との間で送受信される信号の符号化方式に基づき、前記発側交換機と前記着側交換機との間の回線の帯域を決定することを特徴とする制御方法。
［実施態様２１］  複数の符号化変換機能を有する交換機における符号化変換方法であって、前記複数の符号化変換機能を組み合わせて符号化変換を行うことを特徴とする符号化変換方法。
【図面の簡単な説明】
【００５５】
【図１】本発明の実施形態に係る制御装置を備えた交換機の構成例を示す図である。
【図２】本発明の実施形態に係る制御方法の処理例を示すフローチャートである。
【図３】本発明の実施形態に係る符号化方式候補の決定方法の処理例を示すフローチャートである。
【図４】本発明の実施形態に係る符号化方式および符号化変換の決定方法の処理例を示すフローチャートである。
【図５】符号化方式候補の決定方法、ならびに符号化方式および符号化変換の決定方法を説明するための第１の例を示す図である。
【図６】符号化方式候補の決定方法、ならびに符号化方式および符号化変換の決定方法を説明するための第２の例を示す図である。
【図７】符号化方式候補の決定方法、ならびに符号化方式および符号化変換の決定方法を説明するための第３の例を示す図である。
【符号の説明】
【００５６】
１０、２０  交換機
１１、２１  制御部
１２、２２  回線管理部
１３、２３  トランスコーダ
１４、２４  符号化方式・符号化変換機能情報管理部
１５、２５  アンテナ
４０、５０  移動機
【図１】
2005333673.tif 000003
【図２】
2005333673.tif 000004
【図３】
2005333673.tif 000005
【図４】
2005333673.tif 000006
【図５】
2005333673.tif 000007
【図６】
2005333673.tif 000008
【図７】
2005333673.tif 000009